(57)【要約】【課題】追記型のＤＶＤ＋Ｒの内周部に記録されたディスク管理情報が壊れても最終セッションを判別可能なディスク管理情報の取得方法を提供する。【解決手段】光ディスク１００の記録領域１２０にセッションを単位として記録情報を記録又は再生する際、光ディスクの内周部１１０にディスク管理情報のＴＯＣを記録するＤＶＤ＋Ｒを挿入した場合、光ディスクの内周部のディスク管理情報が読めない場合においても、最後に記録されたＴＯＣから、順次、それ以前に記録されたＴＯＣを追ってゆくことにより、当該最後に記録されたＴＯＣを再生することにより、記録／再生の際のディスク認識率が高いディスク管理情報の取得方法を実現し、記録情報の確実な記録／再生が可能な光ディスク情報記録／再生装置を提供する。【選択図】      図１
2004273001.tif 000002
【特許請求の範囲】
【請求項１】
光ヘッドを円盤状の光ディスク上に移動してレーザビームを照射し、当該光ディスク上に記録情報を記録又は再生する光ディスク情報記録／再生装置であって、前記光ディスクに対して所定の単位の記録情報を記録又は再生する際、当該光ディスクの所定の位置に、前記記録された所定単位の記録情報に関するディスク管理情報の少なくとも一部を、随時、記録又は再生してなる形式の光ディスクに対し、前記記録情報を前記所定単位により記録又は再生する手段を備えており、更に、当該光ディスク上の所定の位置に記録されたディスク管理情報の少なくとも一部が読めない場合においても、最後に記録されたディスク管理情報から、順次、それ以前に記録されたディスク管理情報を追ってゆくことにより、当該最後に記録されたディスク管理情報を再生する手段を備えていることを特徴とする光ディスク情報記録／再生装置。
【請求項２】
前記請求項１に記載した光ディスク情報記録／再生装置において、前記光ディスク管理情報再生手段は、更に、前記記録媒体の所定の位置に記録されたディスク管理情報が読めない場合には、前記円盤状の光ディスクに記録された所定単位の記録情報を順次検索して、前記記録情報に関するディスク管理情報を得る手段を備えていることを特徴とする光ディスク情報記録／再生装置。
【請求項３】
光ヘッドを円盤状の光ディスク上に移動してレーザビームを照射し、当該光ディスク上に記録情報を記録又は再生する光ディスク情報記録／再生装置において、挿入された光ディスクからディスク管理情報を取得する方法であって、前記円盤状の光ディスクに対して所定の単位の記録情報を記録又は再生する際、当該光ディスクの所定の位置に、記録された所定単位の記録情報に関するディスク管理情報の少なくとも一部を随時記録又は再生してなる形式の光情報記録媒体を挿入した場合、当該光ディスク上の所定の位置に記録されたディスク管理情報の少なくとも一部が読めない場合においても、最後に記録されたディスク管理情報から、順次、それ以前に記録されたディスク管理情報を追ってゆくことにより、当該最後に記録されたディスク管理情報を再生することを特徴とするディスク管理情報の取得方法。
【請求項４】
前記請求項３に記載したディスク管理情報の取得方法において、更に、前記記録媒体の所定の位置に記録されたディスク管理情報が読めない場合には、前記円盤状の光ディスクに記録された所定単位の記録情報を順次検索して、前記記録情報に関するディスク管理情報を得ることを特徴とするディスク管理情報の取得方法。
【発明の詳細な説明】
【０００１】
【発明の属する技術分野】
本発明は、映像などを含む記録情報を、セッションと呼ばれる所定の単位で、複数組が記録可能な、所謂、マルチセッション記録型の光ディスクから、記録情報を再生する光ディスク情報記録／再生装置に関し、特に、かかる装置におけるディスク管理情報の取得方法に関する。
【０００２】
【従来の技術】
複数のセッションが同一のディスク上に記録可能なマルチセッション記録型の光ディスクは、特に、大量の情報を記録可能な光ディスクにおいて広く採用されている。なお、かかるマルチセッション記録が可能な光ディスクとしては、ＣＤ−ＲやＣＤ−ＲＷ（以下、ＣＤ−Ｒ／ＷＲと記す）が一般的であり、また、特に近年においては、画像情報等を含めて更に大量の情報が記録可能なＤＶＤが広く利用されてきている。
【０００３】
かかる光ディスクからその記録情報を取り出す場合、当該光ディスクをその記録／再生装置に装着して再生するが、その際、一般に、ディスク上に記録されて利用可能な情報のデータ記録状態やその内容を確認するため、所謂、サーチと呼ばれる動作が行われる。特に、マルチセッション記録型のディスクでは、セッションと呼ばれる１組のデータ単位について、ディスク上に記録された順に従って上記のサーチが行われる。
【０００４】
ところで、大量の情報が記録可能な光ディスクにおいて、特に、ＣＤ−Ｒ／ＲＷでは、リードインエリア（Ｉ）、データエリア（Ｄ）、リードアウトアリア（Ｏ）と呼ばれる３つのエリアからなる各セッションが、複数、ディスクの記録エリア上に、その内周側から順に記録されている。そして、上記のサーチを行う際には、例えば、以下の特許文献１〜３にも知られるように、上記ディスク上に記録された情報を、上記セッションを単位として、一つずつ追って行き、そして、最終セッションをサーチすると、その管理情報（特に、各セッションのリードインエリアに記録されたＴＯＣ（Ｔａｂｌｅ  Ｏｆ  Ｃｏｎｔｅｎｔｓ）と呼ばれるサブコード）を利用して、記録情報の読み出しや書き込みを行なうこととなる。
【０００５】
上述したＣＤ−Ｒ／ＲＷにおける管理情報（特に、ＴＯＣ）のサーチ方法では、しかしながら、セッション毎に、最終セッションに至るまでヘッドをディスク上に移動しながらサーチを行なうために時間がかかってしまう。そこで、特に、ＤＶＤ＋Ｒと呼ばれる追記型のＤＶＤ光ディスクでは、かかるサーチ時間を短縮するため、このＴＯＣに対応するディスク管理情報の一部を、ディスクの内周部に設けている。すなわち、これにより、ヘッドをこのディスク内周部に移動してその内周部をサーチすれば、当該ディスク上に記録された記録情報の最終セッションの位置が簡単にかつ短時間で分かるように（サーチが可能と）なっている。
【０００６】
【特許文献１】
特開２００２−１２４０６８号公報
【特許文献２】
特開２０００−２８５４６１号公報
【特許文献３】
特開平６−３４９２５２号公報
【０００７】
【発明が解決しようとする課題】
このように、上述した従来技術では、特に、ＤＶＤ＋Ｒと呼ばれる追記型のＤＶＤ光ディスクでは、そのディスクの内周部に設けられた領域に記録されたディスク管理情報を読み出すことによって、必要なサーチ時間を短縮することが可能であるが、しかしながら、このディスクの内周部に設けられた管理情報を記録する領域が壊れている場合には、このディスク管理情報が読み込めず、そのため、装置による記録／再生動作に必要な最終セッションを認識できなくなり、動作不可能に陥ってしまうという問題点があった。
【０００８】
そこで、本発明は、上述して従来技術における問題点を解決するため、すなわち、特に、ＤＶＤ＋Ｒと呼ばれる追記型のＤＶＤ光ディスクにおいて、当該ディスク内周部に記録されたディスク管理情報が読み取れない場合においても、ディスク上に記録された最終セッションを判別可能とすることにより、かかるディスクの記録／再生を行なう際の認識率を向上し、より確実な記録情報の記録／再生を可能にする光ディスク情報記録／再生装置を提供し、さらには、かかる装置におけるマルチセッション型光ディスクの管理情報の取得方法を提供することを目的とするものである。
【０００９】
【課題を解決するための手段】
そこで、本発明によれば、上述の課題を解決するため、まず、光ヘッドを円盤状の光ディスク上に移動してレーザビームを照射し、当該光ディスク上に記録情報を記録又は再生する光ディスク情報記録／再生装置であって、前記光ディスクに対して所定の単位の記録情報を記録又は再生する際、当該光ディスクの所定の位置に、前記記録された所定単位の記録情報に関するディスク管理情報の少なくとも一部を、随時、記録又は再生してなる形式の光ディスクに対し、前記記録情報を前記所定単位により記録又は再生する手段を備えており、更に、当該光ディスク上の所定の位置に記録されたディスク管理情報の少なくとも一部が読めない場合においても、最後に記録されたディスク管理情報から、順次、それ以前に記録されたディスク管理情報を追ってゆくことにより、当該最後に記録されたディスク管理情報を再生する手段を備えている光ディスク情報記録／再生装置が提供される。
【００１０】
なお、本発明では、前記に記載した光ディスク情報記録／再生装置において、前記光ディスク管理情報再生手段は、更に、前記記録媒体の所定の位置に記録されたディスク管理情報が読めない場合には、前記円盤状の光ディスクに記録された所定単位の記録情報を順次検索して、前記記録情報に関するディスク管理情報を得る手段を備えている。
【００１１】
また、本発明によれば、やはり上記の目的を達成するため、光ヘッドを円盤状の光ディスク上に移動してレーザビームを照射し、当該光ディスク上に記録情報を記録又は再生する光ディスク情報記録／再生装置において、挿入された光ディスクからディスク管理情報を取得する方法であって、前記円盤状の光ディスクに対して所定の単位の記録情報を記録又は再生する際、当該光ディスクの所定の位置に、記録された所定単位の記録情報に関するディスク管理情報の少なくとも一部を随時記録又は再生してなる形式の光情報記録媒体を挿入した場合、当該光ディスク上の所定の位置に記録されたディスク管理情報の少なくとも一部が読めない場合においても、最後に記録されたディスク管理情報から、順次、それ以前に記録されたディスク管理情報を追ってゆくことにより、当該最後に記録されたディスク管理情報を再生するディスク管理情報の取得方法が提供される。
【００１２】
なお、本発明では、前記に記載したディスク管理情報の取得方法において、更に、前記記録媒体の所定の位置に記録されたディスク管理情報が読めない場合には、前記円盤状の光ディスクに記録された所定単位の記録情報を順次検索して、前記記録情報に関するディスク管理情報を得るものである。
【００１３】
【発明の実施の形態】
以下、本発明の実施の形態について、添付の図面を用いて詳細に説明する。
まず、添付の図２は、本発明の一実施の形態になる光ディスク情報記録／再生装置（所謂、ドライブ）により情報の記録／再生が可能な、ＤＶＤ＋Ｒと呼ばれるマルチセッション記録が可能なＤＶＤディスクが示されている。この図からも明らかなように、円盤状のディスク１００の内周部１１０には、このディスクの管理情報の一部である、セッション位置情報が記録されており、その外周部１２０には、所謂、セッションと呼ばれる所定の単位の情報が、複数、記録可能となっている。
【００１４】
また、このＤＶＤ＋Ｒと呼ばれるマルチセッション記録が可能なＤＶＤディスクでは、その上に記録可能なセッションと呼ばれる所定の単位の情報は、添付の図４に示すように、一般に、ＴＯＣ（Ｔａｂｌｅ  Ｏｆ  Ｃｏｎｔｅｎｔｓ）（Ｔｎ：但し、ｎは自然数）、そして、リードイン、イントロ（Ｉｎ：但し、ｎは自然数）、データゾーン（ＤＺｎ：但し、ｎは自然数）、クロージャ（Ｃｎ：但し、ｎは自然数）と呼ばれる領域（ブロック）から構成されている。
【００１５】
そして、上記のＴＯＣブロック（領域）、は、ディスク１００の内周部１１０に位置しており（図２を参照）、そして、各ＴＯＣブロックには、各セッションのクローズ毎に、管理情報の一部を構成するセッション位置情報（即ち、各セッションの開始／終了アドレスが書かれている）が、１ブロックづつ、随時、追記される。すなわち、ＤＶＤ＋Ｒのマルチセッションディスクでは、ＴＯＣブロックと呼ばれるディスクの管理情報が、ディスクの所定の領域、即ち、ディスクの内周部に集められて配置されており、そして、未記録部の直前のブロックまでが有効なＴＯＣとなっている。
【００１６】
また、添付の図３には、各セッションを構成するブロック（領域）のより詳細な構成内容が示されている。まず、リードイン領域には、Ｉｎｉｔｉａｌ  Ｚｏｎｅ、Ｉｎｎｅｒ  Ｄｉｓｃ  Ｉｄｅｎｔｉｆｉｃａｔｉｏｎ  Ｚｏｎｅ、Ｂｕｆｆｅｒ  Ｚｏｎｅ、コントロールデータ、Ｂｕｆｆｅｒ  Ｚｏｎｅが設けられている。また、イントロ領域には、Ｂｕｆｆｅｒ  Ｚｏｎｅ、ＳＩＺ、コントロールデータが順次設けられており、さらに、クロージャ領域には、Ｂｕｆｆｅｒ  ＺｏｎｅとＳＩＺが設けられて構成されている。すなわち、各セッション内においても、ディスクの管理情報であるコントロールデータ（ＤＣＢ：Ｄｉｓｃ  Ｃｏｎｔｒｏｌ  Ｂｌｏｃｋ）が書かれており、それぞれ、所属するセッション内の開始／終了アドレス（但し、リードインの場合には、セッション＃１の開始／終了アドレス）が記録されている。なお、ここでは図示しないが、最終セッション（オープン）の構成（トラックの構成）は、最終セッションのイントロのＳＩＺに書かれており、このＳＩＺを読まないと、ドライブはディスクへ記録することができない。そのため、このＳＩＺを読む為にも、上記した最終セッションの認識が必要であり、重要となっている。
【００１７】
次に、本発明の一実施の形態になる情報記録／再生装置である光ディスク装置（ドライブ）の概略的構成とその動作を、添付図５のブロック図を参照しながら、以下に説明する。
【００１８】
この図５において、上位装置４００は、例えば、ホストコンピュータ等から構成された、所謂、光ディスク装置５００の上位装置である。この上位装置４００から発行された命令は、光ディスク装置５００を構成するインタフェース・コントローラ５０２で受け取り、マイクロプロセッサ５０４に伝えられる。このマイクロプロセッサ５０４は、高速のＩＣメモリである制御メモリ５０５を有する。また、この制御メモリ５０５には、上記マイクロプロセッサ５０４上で動作する、所謂、マイクロ・プログラム・コードが記録されている。
【００１９】
ここで、上位装置４００から発行された命令が記録要求である場合には、上記マイクロプロセッサ５０４は、上位装置５０１からインタフェース・コントローラ５０２を介して、バッファメモリ５０３へ、記録要求データを転送する操作を行う。
【００２０】
次に、上記光ディスク装置５００を構成するマイクロプロセッサ５０４は、記録回路５０６に対してエンコードを指示し、この記録回路５０６は、バッファメモリ５０３上で記録要求データエンコード処理を行う。そして、マイクロプロセッサ５０４は、記録回路５０６に対して、光ディスク媒体１００の所定の位置にエンコードを完了したデータの記録指示を行い、そこで、記録回路５０６は光ヘッド５０８を介して、上記光ディスク媒体１００の所定の位置にその記録を行う。
【００２１】
また、上位装置４００から発行された命令が再生要求である場合には、上記マイクロプロセッサ５０４は、再生回路５０７に対して、光ディスク媒体３０１の所定の位置からデータを再生する指示を行う。一方、再生回路５０７は、光ヘッド５０８を介して光ディスク媒体１００の所定の位置から再生したデータを、バッファメモリ５０３へ格納する。そして、再生したデータに誤りがある場合、再生回路５０７は誤り訂正を行う。次に、マイクロプロセッサ５０４は、バッファメモリ５０３からインタフェース・コントローラ５０２を介して上位装置４００へ、上記の再生データを転送する操作を行う。なお、以上の動作は、一般のドライブの動作と同様である。また、上記光ヘッドの光ディスク上での移動は、上記マイクロプロセッサ５０４により、例えば、図示しないサーボ回路や送り機構部等を介して行なわれることも、やなり、一般のドライブの動作と同様である。
【００２２】
次に、本発明の一実施の形態になる光ディスク装置（ドライブ）における、特に、上記マルチセッション型の光ディスクにおけるディスク管理情報の取得方法について、添付図１のフローチャートを参照し、更には、動作説明図である図６〜図８を参照しながら、以下に詳細に説明する。なお、以下に説明する動作は、上記図４に示した構成において、マイクロプロセッサ５０４により、制御メモリ５０５内に記録されたマイクロ・プログラム・コードの内容に従って行なわれるものである。
【００２３】
図１を参照しながら、まず、ディスク（ＤＶＤ＋Ｒディスク）が挿入されると、ドライブは、ディスク内周部のＴＯＣブロックの未記録サーチを行う（ステップＳ１０）。なお、この状態が、添付の図６に▲１▼で示されており、具体的には、各ＴＯＣブロック（図６のＴ１、Ｔ２…Ｔｎ）を、順次、サーチする。そして、未記録直前のＴＯＣの番号（ＴＯＣ＃）をＮとする（ステップＳ１１）。さらに、添付の図６において▲２▼で具体的に示すように、Ｔ３のＴＯＣを読み出す（ステップＳ１２）。さらに、リード（読み出し）がＯＫか否かを判定し（ステップＳ１３）、その結果、ＯＫ（図の「Ｙ（ｅｓ）」）であれば、読み込んだＴＯＣ（図６の場合ＴＯＣ＝Ｔ３）に書かれているディスク管理情報から、最終セッション番号（最終セッション＃）を得ることとなる（ステップＳ１４）。なお、添付の図６の場合には、未記録直前のＴＯＣ＃＝３（Ｔ３）であることから、最終セッション番号（最終セッション＃）はＳ４となる。
【００２４】
さらに、上記図１のフローにおいて、リトライせずにＯＫであったか否かを判定し（ステップＳ１５）、その結果、ＯＫ（図の「Ｙ」）であれば、上記で得られた最終セッション番号（セッション＃）＝ＳのＳＩＺを読むこととなる。これを、添付の図６において▲３▼で示す（この場合は、Ｉ４のＳＩＺ）。
【００２５】
なお、上記ディスク内周部のＴＯＣブロックが正常な場合には、ディスク内周部のＴＯＣのリードは、リトライすることなしにＯＫとなる。また、上述したように、ＤＶＤ＋Ｒディスクにおいては、最終セッション（オープン）のトラックの構成は、最終セッション（図４の場合、セッション＃４）のイントロのＳＩＺに書かれており、そのため、上記したように、最終セッション＃４のイントロにおけるＳＩＺを読むことにより、ドライブは、ＤＶＤ＋Ｒディスクに対して書き込み動作が可能であり、正常な動作が可能となる。以上が正常なケースのディスク認識手順である。すなわち、上記未記録の直前のＴＯＣ（即ち、最終のＴＯＣ＝Ｔ３）から読み込んだＴＯＣに書かれている管理情報から、最終セッション（即ち、Ｓ＃＝４）のイントロの位置を計算し、最終セッションのイントロのＳＩＺを読み込むこととなる。
【００２６】
これに対し、上記した未記録部サーチにおいて、未記録部の直前のＴＯＣが読めなかった場合（即ち、上記ステップＳ１３における判定が「Ｎ」の場合）には、Ｎ（＝未記録直前のＴＯＣの番号（ＴＯＣ＃））が１であるか否かを、又は、リトライの回数が３回であるか否かを判定する（ステップＳ１７）。その結果、「Ｎ（ｏ）」と判定された場合には、Ｎ＝Ｎ−１として（ステップＳ１８）、再度、上記ステップＳ１２へ戻る。
【００２７】
これは、例えば、添付の図７において、未記録部サーチ（図７の▲１▼を参照）を行なったが、しかしながら、この未記録部の直前のＴＯＣ（Ｔ３）が読めなかった場合（図７の▲２▼を参照）には、その１ブロック手前のＴＯＣ（Ｔ２）を読むこと（リトライ）である。即ち、上記のステップＳ１２へ戻り、ＴＯＣ番号をリードする。その結果、この１ブロック手前のＴＯＣのリードがＯＫの場合には、上述したステップＳ１４において、読み出されたＴＯＣに書かれたセッション番号Ｓを基にして、以下の処理が行なわれる。
【００２８】
すなわち、まず、リトライせずにＴＯＣの管理情報が得られたか否かを判定する（ステップＳ１５）。なお、上述のように、添付の図７においては、未記録部の直前のＴＯＣ（Ｔ３）が読めなかったので、その１ブロック手前のＴＯＣ（Ｔ２）を読んだ（リトライ）のであるから、判定の結果は「Ｎ」となる。
【００２９】
次に、リトライにより読み出されたＴＯＣから得た最終セッション番号＃Ｓは、Ｓ＝Ｓ＋１とされ（ステップＳ２１）、即ち、リトライにより読み出されたＴＯＣから得た最終セッション番号＃Ｓの次のセッションを最終セッションとする。その後、上記ＴＯＣの内容から最終セッション＃Ｓのイントロの位置を算出し（ステップＳ２２）、さらに、その最終セッション＃Ｓのコントロールデータを読み込む（ステップＳ２３）。そして、このコントロールデータが未記憶であるか否かを判定する（ステップＳ２４）。その結果、「Ｙ」（記憶されている）と判定された場合には、最終セッション＃ＳのＳＩＺをリードする（ステップＳ１６）のは上記と同様である。なお、上記ステップＳ２４において「Ｎ」（即ち、コントロールデータが未記憶）と判定された場合には、更に次ののセッションを最終セッションとして、上記のステップＳ２１〜Ｓ２４を繰り返すこととなる。
【００３０】
さらに、上記リトライの結果、すなわち、上記ステップＳ１３において、再度、リード不可能（「Ｎ」）と判定された場合には、即ち、上記図３におけるＴＯＣ（Ｔ２）も読めなかった場合には（図７の▲３▼を参照）、更に手前のＴＯＣ（Ｔ１）を読む（図７の▲４▼を参照）こととなる。なお、ここで、上記ステップＳ１７において、Ｎ（＝未記録直前のＴＯＣの番号（ＴＯＣ＃））が１である場合には、更に手前のＴＯＣは存在せず、また、リトライの回数が３回であるか否かを判定するのは、ＴＯＣエラーのブロック数が規定数（例えば、３回）に達した場合には、このディスク内周部のＴＯＣブロックによるサーチ動作を終了し、後に詳細に説明する、各セッションにおけるリードインのコントロールデータを順次読み出し、もって、最終セッションのイントロのＳＩＺを読むサーチ動作への移行するためである。なお、上記の数は、３回に限定されることなく、適宜、設定することが可能である。
【００３１】
このように、本発明では、ディスク内周部のＴＯＣブロックが正常でない場合には、ディスク内周部のＴＯＣのリードは、手前のＴＯＣでリトライされる。即ち、上記のステップＳ１２へ戻る。その結果、この手前のＴＯＣのリードがＯＫの場合には、上述したステップＳ１４において、読み出されたＴＯＣに書かれたセッション番号Ｓを基にして上記の処理が行なわれ、もって、最終セッション番号＃Ｓを得て、そのイントロのＳＩＺを読むこととなる。
【００３２】
さらに、本発明によれば、上記図７に示すように、未記録部サーチ（図７の▲１▼を参照）を行なったが、しかしながら、この未記録部の直前のＴＯＣ（Ｔ３）が読めず（図７の▲２▼を参照）、さらに、その１ブロック手前のＴＯＣ（Ｔ２）を読んだ（リトライ）が、このＴＯＣ（Ｔ２）も読めなかった場合には（図７の▲３▼を参照）、更に手前のＴＯＣ（Ｔ１）を読み込む（図７の▲４▼を参照）。そして、このリトライにより読み込んだＴＯＣ（Ｔ１）の管理データを基にして、以下の処理を行なう。
【００３３】
まず、上記ステップＳ１３において、そのＴＯＣのリードＯＫか否かの判定を行う。その結果「Ｙ」と判定された場合には、上記ステップＳ１４において、リトライにより読み出されたＴＯＣから最終セッション番号＃Ｓを得る。さらに、上記ステップＳ１５において、リトライせずにリードがＯＫか否かを判定するが、この時も、上記と同様に、リトライにより読み出されたのであることから、「Ｎ」と判定されることとなる。
【００３４】
その後、リトライにより読み出されたＴＯＣから得た最終セッション番号＃Ｓは、Ｓ＝Ｓ＋１とされ（ステップＳ２１）、即ち、リトライにより読み出されたＴＯＣから得た最終セッション番号＃Ｓの次のセッションを最終セッションとする。その後、上記ＴＯＣの内容から最終セッション＃Ｓのイントロの位置を算出し（ステップＳ２２）、さらに、その最終セッション＃Ｓのコントロールデータを読み込む（ステップＳ２３）。そして、このコントロールデータが未記憶であるか否かを判定し（ステップＳ２４）、その結果、「Ｙ」（未記憶）と判定された場合には、その最終セッション＃ＳのＳＩＺをリードする（ステップＳ１６）のは上記と同様である。なお、上記ステップＳ２４において「Ｎ」（即ち、コントロールデータが記憶済み）と判定された場合には、更に次のセッションを最終セッションとして、上記のステップＳ２１〜Ｓ２４を繰り返すこととなる。
【００３５】
このように、更に手前のＴＯＣ（Ｔ１）を読み込み（図７の▲４▼を参照）、そのディスク管理情報を利用して最終セッションのＳＩＺをリードする場合には、上記の図７に示すように、まず、読み込んだＴＯＣ（Ｔ１）の管理情報から、そのＴＯＣ（Ｔ１）に対応するセッション（この例では、セッション＃１）のセッション情報を得る。そして、この得られたセッション情報から、続くセッション＃２のイントロ（Ｉ２）におけるコントロールデータをリードする（図７の▲５▼を参照）。さらに、この得られたセッション＃２のイントロ（Ｉ２）におけるコントロールデータを基にして、続くセッション＃３のイントロ（Ｉ３）におけるコントロールデータをリードする（図７の▲６▼を参照）。更に、これを繰り返し、セッション＃４のイントロ（Ｉ４）におけるコントロールデータをリードするが、しかしながら、このセッション＃４が最終セッションであることから、コントロールデータは記録されておらず（未記憶：図７の▲７▼を参照）、そこで、このセッション＃４が最終セッションと判定（認識）して、そのＳＩＺをリードする（図７の▲８▼を参照）。
【００３６】
加えて、本発明によれば、上述したように、例えば、ＴＯＣエラーのブロック数が規定数（例えば、３回）に達した場合、更には、添付の図８に示すように、未記録部サーチ（図８の▲１▼を参照）した結果、その全てのＴＯＣ（Ｔ１、Ｔ２、Ｔ３）がリードエラーとなった場合（図８の▲２▼、▲３▼、▲４▼を参照）には、以下に示すように、各セッションにおけるリードインのコントロールデータを順次読み出して最終セッションを判定（認識）するサーチ動作を実行するものである。
【００３７】
すなわち、再び、上記図１に戻り、上記ステップＳ１７の判定の結果、「Ｙ」の場合には、最終セッション番号Ｓ＝１とする（ステップＳ１８）。そして、このセッション番号Ｓ＝１におけるリードインのコントロールデータをリードする（ステップＳ１９）。さらに、その後、上述したステップＳ２１〜Ｓ２４を繰り返すことにより、最終セッションを判定し、そして、その判定したセッション＃ＳのＳＩＺをリードする（ステップＳ１６）。
【００３８】
すなわち、これは、上記図８に示すように、まず、最終セッション番号Ｓ＝１（セッション＃１）におけるリードイン（Ｉ１）のコントロールデータをリードし（図８の▲５▼を参照）、そのコントロールデータが未記録でない（即ち、記録済）場合には、更に、続くセッション＃２のリードイン（Ｉ１）のコントロールデータをリードする（図８の▲６▼を参照）。これを、コントロールデータが未記録のセッションまで繰り返し（図８の▲７▼、▲８▼を参照）、その結果、コントロールデータが未記録のセッションを最終セッションとして、そのリードイン（Ｉ４）のコントロールデータをリードする。
【００３９】
このように、従来では、ディスク内周部のＴＯＣブロックが破壊された場合には、未記録部の直前のＴＯＣ（Ｔ３）が読めず、かつ、その直前のＴＯＣ（Ｔ２）やその他のＴＯＣも読めず、そのため、ディスクの再生動作が不可能であったが、しかしながら、本発明によれば、かかる場合においても、セッション＃１のリードインのコントロールデータを読み、そのコントロールデータに書かれているセッションの開始／最終アドレスからセッション＃２のイントロの位置を計算し、これを繰り返してセッションをたどることにより、最終セッションのイントロのＳＩＺを読み込むことが可能となる。
【００４０】
【発明の効果】
上記の詳細に説明した本発明になる光ディスク情報記録／再生装置及びそのディスク管理情報の取得方法によれば、特に、ＤＶＤ＋Ｒに代表されるように、セッションと呼ばれる単位により記録情報を光ディスク上に記録する際に、ディスク管理情報の一部（例えば、ＴＯＣ）を光ディスクの所定に位置（内周部）に分離して記録される形式の光ディスクが挿入され、その光ディスク内周部のディスク管理情報が読めない場合でも、ディスク上に記録された最終セッションを判別可能となることから、ディスクの記録／再生の際の認識率を向上し、より確実な記録情報の記録／再生を可能にする光ディスク情報記録／再生装置を提供し、さらには、かかる装置における光ディスクの管理情報の取得方法を提供するという優れた効果を発揮する。
【図面の簡単な説明】
【図１】本発明になる本発明の一実施の形態になる光ディスク情報記録／再生装置におけるディスク管理情報の取得方法を示すフローチャート図である。
【図２】上記光ディスク情報記録／再生装置により情報の追記／再生が可能な、ＤＶＤ＋Ｒと呼ばれる、マルチセッション記録型のＤＶＤディスクの斜視図である。
【図３】上記ＤＶＤ＋Ｒと呼ばれるマルチセッション記録型のＤＶＤディスクの詳細なブロック構成を示す図である。
【図４】やはり、ＤＶＤ＋Ｒと呼ばれるマルチセッション記録型のＤＶＤディスク上のブロック配置を説明する図である。
【図５】本発明の一実施の形態である光ディスク情報記録／再生装置の概略構成を示すブロック図である。
【図６】上記本発明の光ディスク情報記録／再生装置におけるディスク管理情報の取得方法を説明する説明図である。
【図７】やはり、上記本発明の光ディスク情報記録／再生装置におけるディスク管理情報の取得方法を説明する説明図である。
【図８】やはり、上記本発明の光ディスク情報記録／再生装置におけるディスク管理情報の取得方法を説明する説明図である。
【符号の説明】
１００  光ディスク（ＤＶＤ＋Ｒ）
１１０  内周部
１２０  記録エリア
５００  光ディスク装置
５０４  マイクロプロセッサ
５０５  制御メモリ
５０８  光ヘッド
【図１】
2004273001.tif 000003
【図２】
2004273001.tif 000004
【図３】
2004273001.tif 000005
【図４】
2004273001.tif 000006
【図５】
2004273001.tif 000007
【図６】
2004273001.tif 000008
【図７】
2004273001.tif 000009
【図８】
2004273001.tif 000010